(57)【要約】  パッケージと、少なくとも１つの吸収性物品と、小型模型と、を含む吸収性製品。
2011524309.tif 000002
【特許請求の範囲】
【請求項１】
（ｉ）外面と内面とを有し、前記内面が内部空間を画定する、パッケージと、
（ｉｉ）身体に面する表面と、衣類に面する表面とを有し、前記身体に面する表面から見ることができる少なくとも１つの次元特色を有する、前記内部空間内に収容される少なくとも１つの吸収性物品と、
（ｉｉｉ）第１の表面と第１の表面の反対にある第２の表面とを有し、前記第１の表面が前記吸収性物品の前記次元特色の少なくとも一部を描写するように適合されている模倣部分を有する、小型模型と、を備える、吸収性製品。
【請求項２】
前記第２の表面が、前記パッケージの前記外面に取り付けられている、請求項１に記載の吸収性製品。
【請求項３】
前記模倣部分が、１つ以上の２次元しるしを含み、前記２次元しるしが、前記小型模型の前記第１の表面から見える色部分である、請求項１に記載の吸収性製品。
【請求項４】
前記吸収性物品の前記次元特色が、３次元特色であり、前記模倣部分が、前記吸収性物品の前記３次元特色を描写するように適合されている２次元しるしを含む、請求項１に記載の吸収性製品。
【請求項５】
前記模倣部分が、前記２次元しるしと実質的に整合されている３次元形体をさらに含む、請求項４に記載の吸収性製品。
【請求項６】
前記吸収性物品の前記次元特色が、３次元特色であり、前記模倣部分が、前記３次元特色を描写するように適合されている３次元形体を含む、請求項１に記載の吸収性製品。
【請求項７】
前記３次元形体が、エンボス部分、穿孔部分、凸部、凹部、又はそれらの組み合わせである、請求項６に記載の吸収性製品。
【請求項８】
前記パッケージは、その前記外面上に模倣画像を備え、前記模倣画像が、前記パッケージに収容される前記吸収性物品を描写するように適合されている、請求項１に記載の吸収性製品。
【請求項９】
前記小型模型が、前記パッケージに取り外し可能に取り付けられている、請求項１に記載の吸収性製品。
【請求項１０】
前記吸収性物品及び前記小型模型が、それぞれ周囲を有し、前記小型模型の前記周囲が、前記吸収性物品の前記周囲を描写するように適合されている、請求項１に記載の吸収性製品。
【請求項１１】
前記小型模型が、前記吸収性物品の寸法の約２％〜約５０％の寸法を有する、請求項１に記載の吸収性製品。
【発明の詳細な説明】
【技術分野】
【０００１】
本発明は、パッケージを含む吸収性製品、特に、パッケージと、その中に収納されている少なくとも１つの吸収性物品と、小型模型と、を含む吸収性製品に関する。
【背景技術】
【０００２】
消費者製品は、箱、容器、可撓性バッグ、ブリスターパック、大箱等のパッケージで販売の時点に消費者に売り込まれることが多い。パッケージは、消費者がパッケージされた製品を購入しようかと立ち止まって考えてみるように、魅力的であり、人目を引くことができる。また、製造業者は、消費者がパッケージを見ること及び／又は手で扱うことで製品についての正しい情報を得ることができるように、製品パッケージを情報量の多いものにすることを望んでいる。
【０００３】
生理用ナプキン及びおむつ等の吸収性物品の分野では、パッケージのみによって吸収性物品に関する正確な製品情報を供給することが困難となり得る。幾つかのパッケージは、外面に吸収性物品の画像を有することができるが、そのような画像は、波状起伏及びチャネル等の特色を消費者に完全に供給するために十分ではない場合がある。
【発明の概要】
【発明が解決しようとする課題】
【０００４】
そのようなものとして、販売の時点で消費者の目を引く吸収性物品のためのパッケージングの必要性が存在する。さらに、消費者を停止させて見させる目立つ外観を提供するだけではなく、パッケージの内部の製品の特色を消費者が理解することに役立つ構造的特色も有するパッケージングの必要性が残る。特に、生理用ナプキン又はおりものシート等の吸収性物品の分野におおいて必要性が残る。
【課題を解決するための手段】
【０００５】
本発明は、（ｉ）パッケージと、（ｉｉ）少なくとも１つの吸収性物品と、（ｉｉｉ）小型模型と、を備える吸収性製品に関する。パッケージは、外面とび内面とを有する。内面は、内部空間を画定する。吸収性物品が、内部空間内に収容されている。吸収性物品が、身体に面する表面及び衣類に面する表面を有する。吸収性物品が、少なくとも１つの次元特色及び身体に面する表面から見える周囲を備える。小型模型が、第１の表面と第１の表面の反対にある第２の表面とを有する。第１の表面が、吸収性物品の次元特色の少なくとも一部を描写するように適合されている模倣部分を有する。
【図面の簡単な説明】
【０００６】
【図１】パッケージの斜視図。
【図２】吸収性物品の平面図。
【図３】線３−３’に沿った図２の吸収性物品の断面図。
【図４】小型模型の平面図。
【図５】パッケージ及び小型模型を含む吸収性製品の正面図。
【図６】線６−６’に沿った図５の吸収性製品の断面図。
【発明を実施するための形態】
【０００７】
本発明は、パッケージと、その中に配置される吸収性物品と、小型模型と、を有する吸収性製品に関する。幾つかの実施形態では、吸収性製品が、小売店で吸収性物品を実際に触れずにパッケージに収容される吸収性物品の製品特色及び利益を消費者が理解することに役立つことができる。付加的に、又は代替として、吸収性製品が、消費者の注目を引くために吸収性物品を印象付けるように表示することができる。吸収性製品は、小売店において消費者を引き付け、吸収性製品を購入するように促すこともできる。
【０００８】
本明細書において、「備える」及び「含む」とは、最終結果に影響を与えない他の要素及び／又は工程を付加できることを意味する。これらの用語はそれぞれ、「から成る」及び「から本質的に成る」という用語を包含する。
【０００９】
本明細書において「吸収性物品」とは、体液等の身体の滲出物又は排泄物を吸収し、収容する物品を指し、生理用ナプキン、おりものシート、タンポン、陰唇間装置、ペッサリー、避妊具、おむつ（乳児及び成人失禁用の両方）、トレーニングパンツ及び成人失禁パッド（及び衣類の股領域に着用される他の物品）、吸汗性脇パッド、授乳パッド、人排泄物処理装置等を含むことが意図される。
【００１０】
本明細書において、「使い捨て」とは、一回使用した後に廃棄する、堆肥化する、ないしは環境に適合した方式で処分することを意図する物品を指す。即ち、洗濯、ないしは別の方法での吸収性物品として復元又は再使用を意図しない。
【００１１】
本明細書において、「生理用ナプキン」とは、女性が外陰部に隣接して着用する物品であって、身体から排泄される様々な滲出物（例えば、血液、経血、及び尿）を吸収及び保持することが意図される物品を指す。
【００１２】
本明細書において、「身体に面する表面」とは、吸収性物品の表面及び／又は吸収性物品が着用される時に着用者の身体に面するその構成要素部材を指す。「外表面」とは、吸収性物品の身体に面する表面の反対側の表面及び／又は吸収性物品が着用される時に着用者から見て外方に面する構成要素部材を指す。
【００１３】
本発明は、使い捨て吸収性物品を収容するためのパッケージを備える吸収製品である本発明の一実施形態に関して以下に記載される。使い捨て吸収性物品が、小袋、小包、又は他の外包材に個別に包み、封入し、パッケージに入れて小売用に包装することができる。例えば、生理用ナプキンは、折り畳み、フィルムの外包みに包み、小売店で消費者に販売するためのパッケージに入れて積み重ねることができる。本発明について使い捨て吸収性製品に関連して説明するが、本発明は、所望により他の消費者製品に応用されることができる。
【００１４】
本発明は、パッケージと、その中に収容される少なくとも１つの使い捨て吸収性物品と、小型模型と、を備える吸収性製品に関する。幾つかの実施形態では、小型模型が、パッケージに取り付けられている。
【００１５】
図１は、複数の生理用ナプキンを収容するパッケージの斜視図を示す。パッケージの一部は、パッケージの内部にある吸収性物品を示すために切り取られている。図１は、前面パネル１１、前面パネル１１の反対側にある後面パネル１２、一対のサイドパネル１３及び１４、トップパネル１５、並びに底面パネル１６を有する、平行六面体の形状のパッケージ１０を示す。パッケージ１０は、外面１７と内面１８とを有する。内面１８は、内部空間１９を有する筺体を形成する。パッケージ１０は、積み重ねを形成する複数の包まれた生理用ナプキン２０を収容する。
【００１６】
本明細書において、「パッケージ」とは、１つ以上の吸収性物品を収容するための手段を指す。パッケージは、当該技術分野において既知の任意の好適な大きさ、形状、及び構造を取ることができる。幾つかの実施形態では、パッケージが、少なくとも１つの吸収性物品を収容する平行六面体形を有する可撓性バッグであり得る。付加的に、又は代替として、パッケージが、立方形又は円柱形を有することができる。
【００１７】
パッケージ１０が、任意の好適な材料で形成されてよく、当該技術分野で既知の任意の構造を取ることができる。パッケージを構成するために使用される材料としては、ポリプロピレンフィルム、ポリエチレンフィルム、共押出成型ポリエチレン及びエチレンビニルアセテートフィルム等の高分子フィルム、並びに板紙及びコーティングされた紙が挙げられるが、これらに限定されない。パッケージ材料は、生分解性、再生利用可能、非生分解性、又は非再生利用可能な材料であってよい。幾つかの実施形態では、パッケージ１０が、大箱及び／又は小袋及びバッグ等の可撓性パッケージとして構成することができる。図１に示されるように、パッケージ１０が、例えば、薄いポリエチレンフィルム材料によって形成されるバッグ等の可撓性バッグであり得る。幾つかの実施形態では、パッケージ１０が、複数シートの相互付着又はそれらの組み合わせによって、折り畳み等、単一シートの材料を操作して形成されてもよい。付加的、又は代替として、パッケージ１０が、熱封入、超音波、接着剤、フックループ式ファスナー等による任意の適切な方法で封入されるか、又は接着されてもよい。
【００１８】
幾つかの実施形態では、吸収性物品２０を取り出すための開口デバイスが、パッケージ１０上の好適な場所に提供されてもよい。図１に示されるように、生理用ナプキン２０を取り出すための開口デバイス２１が、パッケージ１０のトップパネル１５上に提供されている。開口デバイス２１は、生理用ナプキン２０が消費者によって容易に取り出すことができるように、提供されてもよい。開口デバイス２１が、任意の好適な構造、形状、及び寸法であり得る。例えば、幾つかの実施形態では、開口デバイス２１が、トップパネル１５内に延在する脆弱線を含んでもよい。脆弱線が、トップパネル１５に形成される穿孔線を含んでもよい。付加的に、又は代替として、パッケージ１０の上部分が、フィルムを封入することによって形成される上部まち構造２３を形成することによって閉じることができる。
【００１９】
図２は、生理用ナプキン２０の平面図を示す。図３は、線３−３’に沿った図２の生理用ナプキン２０の断面図を示す。生理用ナプキン２０が、トップシート２２、バックシート２４、及びトップシート２２とバックシート２４との間に配置される吸収性コア２６を備える。それらの構成要素部材の任意の個々の層は、身体に面する表面と、身体に面する表面の反対側にある外表面と、を有することができる。
【００２０】
任意の好適なトップシート２２を使用することができる。幾つかの実施形態では、トップシート２２が、順応性があり、柔らかな感触であり、及び着用者の皮膚に対して非刺激性であってもよい。付加的に、又は代替として、トップシート２２は、排泄物がその厚さに容易に染み込むことができるように、液体透過性又は浸透性であってもよい。トップシート２２が、織布材料及び不織布材料（例えば、繊維の不織布ウェブ）、孔あき成形熱可塑性フィルム、孔あきプラスチックフィルム、及びハイドロフォーミングされた熱可塑性フィルム等の高分子材料、多孔質発泡体、網状発泡体、網状熱可塑性フィルム、並びに熱可塑性スクリム等の任意の好適な材料から製造されてもよい。トップシート２２が、不織布ウェブを含む場合、ウェブは、任意の好適な技術によって製造されてもよい。例えば、ウェブが、スパンボンドされるか、毛羽立てられるか、湿式載置されるか、メルトブローされるか、水流交絡されるか、上記の組み合わせ等を施されてもよい。幾つかの実施形態では、トップシート２２の身体に面する表面が、界面活性剤による処理によって親水性にすることができる。幾つかの実施形態では、トップシート２２の外表面が、吸収性コア２６に取り付けられてもよい。付加的に、又は代替として、トップシート２２が、バックシート２４に取り付けられてもよい。
【００２１】
概して、バックシート２４は、バックシート２４が、吸収性コア２６に吸収されかつ収容された排泄物が生理用ナプキン２０から漏洩することを防止し得るように、排泄物に対して不浸透性であってもよい。バックシート２４が、薄いプラスチックフィルム又は他の液体不浸透性可撓性材料等の任意の好適な材料から製造することができる。幾つかの実施形態では、バックシート２４が、織布材料若しくは不織布材料、ポリエチレン若しくはポリプロピレンの熱可塑性フィルム等の高分子フィルム、又はフィルムコーティングされた不織布材料等の複合材料を含んでもよい。バックシート２４が、単層材料又は複層材料を含むことができる。バックシート２４が、単層ポリエチレンフィルムであってもよいか、又はポリエチレンフィルム及び不織布から成る２層であってもよい。バックシート２４が、蒸気を吸収性コアから逃がす（「通気可能なバックシート」と呼ばれる）一方で、排泄物がバックシート２４を通過することを防止する微小多孔性構造を有してもよい。
【００２２】
吸収性コア２６が、典型的に、身体からの排泄物を受け入れ、吸収し、及び／又は保持することが可能である。幾つかの実施形態では、吸収性コア２６は、圧縮性、適合性があり、着用者の皮膚に対して非刺激性であってもよい。吸収性コア２６が、単層材料又は複層材料によって形成することができる。吸収性コア２６が、概して「エアフェルト」と称される粉砕木材パルプ等の好適な液体吸収性材料を含んでもよい。幾つかの実施形態では、吸収性コア２６が、マルチボンドエアレイド不織材料を備える。
【００２３】
吸収性コア２６は、多種多様の寸法及び形状で製造されてもよい。したがって、吸収性コア２６が、その平面図において、いかなる形状を採ることもできる。吸収性コア２６の形状が、楕円形、長方形、砂時計のような形、円形、正方形、及び他の任意の形を含んでよい。
【００２４】
吸収性物品２０が、周囲境界線５０を有する。周囲境界線５０が、吸収性物品２０の外形を形成する。
【００２５】
吸収性物品２０が、３次元特色及び／又は２次元特色等の次元特色を含むことができる。図２に示されるように、吸収性物品２０が、身体に面する表面４２上の３次元特色３６を含むことができる。幾つかの実施形態では、３次元特色３６が、流体遮蔽及び流体吸収等の機能特性を有する構造であてもよい。３次元特色としては、例えば、エンボス、穿孔、チャネル、凸部、凹部、開口、周囲境界線等を挙げることができる。幾つかの実施形態では、３次元特色３６が、トップシート２２から吸収性コア２６まで延在してもよい（例えば、チャネル、エンボス、穿孔等）。付加的に、又は代替として、３次元特色３６が、トップシート２２上に提供されてもよい（例えば、開口等）。幾つかの実施形態では、３次元特色３６が、吸収性物品２０の吸収性コア２６の厚さによって形成されてもよい（例えば、凹部、凸部、穿孔等）。付加的に、又は代替として、３次元特色３６が、吸収性物品の全体の形状によって形成されてもよい（例えば、周囲境界線等）。例えば、図２及び３に示される等の幾つかの実施形態では、生理用ナプキン２０が、複数のチャネル２８及び３３を備えることができる。さらに、図２及び３に示されるように、生理用ナプキン２０が、吸収性コア２６の厚さによって形成することができる凸部２９を備えている。
【００２６】
３次元特色３６が、技術的及び／又は美的情報を消費者に提供することができる。例えば、チャネル又はエンボスが、吸収性物品２０からの漏れを減少させることができ、及び／又は少なくなった漏れの知覚を消費者に提供することができる。消費者が、チャネル及び／又はエンボスの存在を見て満足に感じることができる。幾つかの実施形態では、そのようなチャネル及びエンボスが、美的要素（例えば、複数のチャネル２８及び３３が、図２に示されるような花様パターンを形成する）を有する場合、吸収性物品２０が、消費者によって視覚的に高い評価を受けることができる。付加的に、又は代替として、吸収性コア２６の厚さが、身体から排出される流体を吸収するように機能することができ、消費者は、この厚さを見た時に安心することができる。
【００２７】
幾つかの実施形態では、吸収性物品２０が、２次元特色３８を含んでもよい。２次元特色とは、消費者を引き付けることができる美的又は視覚的要素を指す。幾つかの実施形態では、２次元特色３８が、色信号であってもよい。用語「色信号」が、吸収性物品２０の残部と区別される吸収性物品２０の着色部を指すが、これに限定されない。幾つかの実施形態では、そのような色信号が、パターン、文字情報等を備えてもよい。
【００２８】
色信号が、例えば、青、緑、薄緑、黄緑、ピンク、紫、黒、茶、赤、黄、又はそれらの変形等の任意の好適な色であり得る。幾つかの実施形態では、複数の色が、色信号として使用されてもよい。色信号は、色信号が吸収性物品の身体に面する側から見えるように、トップシート、バックシート、吸収性コア、トップシートと吸収性コアとの間に提供され得る挿入物等の吸収性物品の任意の好適な構成要素上に提供することができる。色は、グラビア印刷、フレキソ印刷、オフセット印刷、インクジェット印刷等を含むが、これらに限定されない、当該技術分野で既知の任意の従来の印刷方法又は技術によって印刷することができるが。
【００２９】
幾つかの実施形態では、色信号は、色が人間心理に影響を与えることができるため、顧客に対して有効であり得る。例えば、青及び緑等の寒色は、清潔かつ新鮮な印象を消費者に与えることができ、橙色及びピンク等の暖色は、消費者に対して刺激的かつ心地良い場合があり、緑、黄緑、及び茶等の自然色は、そのような色が消費者に自然を思い出させ得るため、消費者をストレス及び不安感から解放し得る。
【００３０】
図２に示されるように、生理用ナプキン２０が、トップシート２２上に分散される、例えば、黄緑の花弁パターン等の花弁パターンの複数の色信号４４を含むことができる。付加的に、又は代替として、生理用ナプキン２０が、生理用ナプキン２０の中央にある黄緑のＵ字パターンの色信号４７をさらに備えることができる。図２に示されるように、パターン及び黄緑色が、「自然」の印象を消費者に与えることができる。
【００３１】
幾つかの実施形態では、色信号が、吸収性物品の身体に面する表面から見える。色信号が、生理用ナプキン２０のトップシート２２上に提供される場合、それが、吸収性物品２０の身体に面する側から直接知覚可能であってもよい。色信号が、吸収性コア２６上に提供される場合、それが、トップシート２２を通して生理用ナプキン２０の身体に面する側から知覚可能であり得る。色信号が、吸収性コア２６の外側にある周囲領域３４におけるバックシート２４上に提供される場合、色信号が、トップシート２２を通して知覚可能であってもよい。幾つかの実施形態では、色信号が、トップシート２２又はバックシート２４ではない別の材料上に印刷されてもよく（例えば、高分子フィルム、１枚の紙等）、印刷された材料は、トップシート２２、バックシート２４、又は吸収性コア２６上で結合されるか、又はそれらの間に配置されてもよい。
【００３２】
幾つかの実施形態では、生理用ナプキン２０が、外包みによって包まれるか、又は内側に折り畳まれる場合、身体に面する表面上の３次元特色３６及び／又は２次元特色３８が、外側から知覚可能でない場合がある。図１に示されるように、生理用ナプキン２０が、パッケージ１０に収容される場合、３次元特色３６及び２次元特色３８が、外側からそれほど知覚可能ではない。したがって、製造業者が、吸収性物品についての情報を消費者に正確に伝えることが困難であると分かるかもしれない。
【００３３】
吸収性製品１が、吸収性物品２０の製品情報を供給するための小型模型１００を含むことができる。図４は、小型模型１００の平面図を示す。幾つかの実施形態では、小型模型とは、パッケージに収容される吸収性物品の小さい複製である物品を指す。小型模型１００が、第１の表面１０４と第１の表面１０４の反対にある第２の表面１０５とを有することができる。図４に示されるように、第１の表面１０４が、吸収性物品２０の３次元特色３６の少なくとも一部を描写するように適合される模倣部分１５０を含むことができる。付加的に、又は代替として、模倣部分１５０が、吸収性物品２０の２次元特色３８の少なくとも一部をさらに描写してもよい。
【００３４】
幾つかの実施形態では、模倣部分１５０が」、第１の表面１０４から見ることができる２次元しるし１５２を含んでもよい。２次元しるし１５２が、色部分を備えてもよい。色部分が、任意の好適な色であり得、例えば、色部分が、明るくて刺激的な色部分（例えば、青、黄、ピンク）、対比色部分、影色部分（例えば、灰色、薄緑、薄青）、グラデーション色部分、光沢色部分、艶消し色部分等を含んでもよい。さらに、第１の色部分１１２が、例えば、明るくて刺激的な色、白い背景上の対比色、及び／又は陰影等の色によって強調することができる。
【００３５】
幾つかの実施形態では、２次元しるし１５２の第１の色部分が、吸収性物品２０の３次元特色３６を描写することができる。例えば、第１の色部分が、エンボス、穿孔、チャネル、凸部、開口、周囲境界線等である３次元特色３６を描写することができる。図２及び４に示されるように、複数の第１の色部分１１１が、例えば、チャネル２８によって形成される深さの知覚を提供すること等によって、生理用ナプキン２０のチャネル２８を描写することができる。さらに、図２及び４に示されるように、複数の第１の色部分１１５が、生理用ナプキン２０のチャネル３３を模倣することができる。幾つかの実施形態では、第１の色部分１１１及び１１５が、ほぼ平坦な表面上に印刷される時、３次元に現れるように、グラデーション色で印刷することができる。図４を参照すると、第１の色部分１１１及び１１５が、灰色の階調色で色付けることができる。幾つかの実施形態では、第１の色部分１１２が、生理用ナプキン２０の周囲境界線５０を描写することができる。図２及び４に示されるように、第１の色部分１１３は、生理用ナプキン２０が３次元で見られる時の凸部２９と周囲領域３４との間の厚さの差異によって形成される陰影を描写すること等によって、生理用ナプキン２０の凸部２９を描写することができる。第１の色部分が、グラビア印刷、フレキソ印刷、オフセット印刷、インクジェット印刷等を含むが、これらに限定されない、任意の好適な印刷方法又は技術によって小型模型１００の第１の表面１０４上に提供することができる。
【００３６】
幾つかの実施形態では、２次元しるし１５２の第２の色部分が、吸収性物品２０の２次元特色３８を描写することができる。図４を参照すると、複数の第２の色部分１０９が、２次元特色３８の色信号４４の少なくとも一部を描写することができる。さらに、第２の色部分１１７が、２次元特色３８の色信号４７を描写することができる。第２の色部分が、グラビア印刷、フレキソ印刷、オフセット印刷、インクジェット印刷等を含むが、これらに限定されない、任意の好適な印刷方法又は技術によって第１の表面１０４上に提供することができる。幾つかの実施形態では、第２の色部分は、第２の色部分１０９が吸収性物品２０の色信号４４を描写することを消費者によって認識できるように、色信号４４の色と同一か、又は少なくとも同様の色で提供することができる。図２及び４に示されるように、第２の色部分１１７の色及び色信号４７のそれが、相互に同一であり得る。
【００３７】
幾つかの実施形態では、模倣部分１５０が、３次元形体１５３を備えてもよい。さらに、３次元形体１５３が、小型模型１００の第１の表面１０４上に機械的に形成されてもよい。３次元形体１５３は、例えば、エンボス部分、穿孔部分、凸部、凹部、又はそれらの組み合わせ等の任意の好適な形体であり得る。
【００３８】
幾つかの実施形態では、３次元形体１５３は、吸収性物品２０の３次元特色３６を描写することができる。図２及び４に示されるように、複数のエンボス部分１０６が、生理用ナプキン２０のチャネル２８を描写することができる。例えば、幾つかの実施形態では、凸部１０８が、その周囲にある周囲領域１１４との厚さの差異を示すことによって生理用ナプキン２０の凸部２９を描写することができる。さらに、凸部１０８が、その周囲にある領域１１４より厚くてもよい。
【００３９】
模倣部分１５０の３次元形体１５３が、例えば、エンボス加工、圧縮、又は材料１６０を彫ること等の任意の好適な方法で形成されてもよい。幾つかの実施形態では、その後、形成された材料１６０が、その斜視図（図４を参照）を示す生理用ナプキン輪郭の形状に、当該技術分野において既知の手段によって切断することができる。
【００４０】
幾つかの実施形態では、模倣部分１５０が、１つ以上の２次元しるし１５２及び１つ以上の３次元形体１５３を含むことができる。さらに、３次元形体１５３が、２次元しるし１５２と実質的に整合されてもよい。「実質的に整合される」とは、２次元しるし１５２及び３次元形体１５３が、同じ位置にか、又は非常に近い位置に位置する実施形態を指す。上述のように、図４に示されるように、複数の第１の色部分１１１が、チャネル２８を描写することができる。幾つかの実施形態では、図４等に示されるように、エンボス部分１０６は、エンボス部分１０６及び第１の色部分１１１の両方が生理用ナプキン２０のチャネル２８を表すことを消費者によって認識できるように、第１の色部分１１１の非常に近くに位置している。一般に、エンボス１０６が、最大寸法で測定して、約１ｍｍ〜約３０ｍｍの最大寸法を有することができる。エンボス１０６が、小型模型の厚さより小さい、０．１ｍｍ〜約５ｍｍの最大深さを有することができる。
【００４１】
吸収性物品２０が、少なくとも１つの色で提供されてもよく、小型模型１００が、吸収性物品２０の色に対応する少なくとも１つの色で提供されてもよい。小型模型１００における、吸収性物品２０の色と同じか、又は同様の色の使用が、小売店において吸収性製品を特定するための信号として消費者によって受け取られてもよい。それは、消費者が正しい吸収性物品を正確に選択することを容易にし得る。
【００４２】
吸収性物品２０及び小型模型１００が、それぞれ周囲を有する。小型模型１００の周囲の形状が、吸収性物品２０の周囲と本質的に同一であってもよい。即ち、小型模型１００の周囲が、吸収性物品２０の周囲を描写するように適合されている。
【００４３】
２次元しるし１５２及び３次元形体１５３が、任意の順序で、又は同時に達成することができる。一実施形態では、２次元しるし１５２が、最初に形成されてもよく、その後、２次元しるし１５２（又はその隣接する部分）が、３次元形体１５３を形成するためにエンボス加工されてもよい。別の実施形態では、３次元形体１５３が、最初に形成されてもよく、その後、３次元形体１５３（又はその隣接する部分）が、２次元しるし１５２を形成するために色付けされてもよい。結果として、３次元形体１５３が、２次元しるし１５２と共に登録される。
【００４４】
小型模型１００が、任意の好適な材料で作製されてもよい。例えば、小型模型材料１６０が、プラスチック、大箱、金属、粘土、ゴム、それらの混合物、又は任意の他の好適な材料で作製されてもよい。幾つかの実施形態では、トップシート２２、吸収性コア２４、又はバックシート２６のために使用される材料は、小型模型１００が、吸収性物品２０に一層似かよって見えるように、小型模型１００のために使用されてもよい。小型模型１００が、２種以上の材料を有することができる。小型模型１００が、１枚の剥離紙包み（ＲＰＷ）又はパッケージ上のトップシートと層を区別できるモデルであってもよい。小型模型１００が、吸収性コア２４等の内部材料を示すために、部分的に切り取られてもよい。
【００４５】
図５は、複数の生理用ナプキン２０を収容するパッケージ１０と、パッケージ１０の外面１７に取り付けられる小型模型１００と、を備える吸収性製品１の正面図を示す。図５に示されるように、パッケージ１０が、商標名８２及び花のロゴ８４等の外面１７上の一般的な印刷された情報を備える。幾つかの実施形態では、パッケージ１０が、外面１７上の生理用ナプキン２０の模倣画像３０をさらに含むことができる。模倣画像３０が、パッケージ１０に収容される吸収性物品２０の斜視図を提供することができる。幾つかの実施形態では、模倣画像３０は、吸収性物品、例えば、生理用ナプキン２０の図形又は写真であり得る。付加的に、又は代替として、模倣画像３０が、パッケージ１０のほぼ平坦な表面上に印刷される時、３次元に見えるように、明るくて刺激的な色、対比色、影、グラデーション、光沢、艶消し等の適切な色で印刷することができる。
【００４６】
図６は、線６−６’に沿った図５に示されるパッケージ１０の外面１７に取り付けられた小型模型１００の断面図を示す。図５に示されるように、幾つかの実施形態では、小型模型１００が、小型模型１００の一部がパッケージ１０の端７６の外側に突出するように、外面１７に取り付けられてもよい。代替として、小型模型１００が、小型模型１００の全体がパッケージ１０の端内にあるように、外面１７に取り付けられてもよい。幾つかの実施形態では、小型模型１００の第２の表面１０５が、取付デバイス１３０を介してパッケージ１０の外面１７に取り付けられる。取付デバイスとしては、例えば、接着剤、両面接着テープ、機械的ファスナー等を挙げることができる。接着剤が、例えば、感圧接着剤、非感圧接着剤、ホットメルト接着剤等の任意の好適な接着剤であってもよい。ＳＩＳ（スチレンイソプレンスチレンブロックコポリマー）、ＳＢＳ（スチレンブタジエンスチレンブロックコポリマー）、ポリオレフィン等、当該技術分野において既知の任意の接着材料を接着剤に用いることができる。機械的ファスナーは、例えば、感圧性接着剤テープファスナーが記載されているスリーエム社（３Ｍ）による米国特許第４９５９２６５号等に記載される任意の好適な機械的ファスナーであってもよく、その裏材が、感圧性接着剤を越えて隆起する先端が丸い茎部の配列を有する。幾つかの実施形態では、小型模型１００が、好適な取り外し可能な接着材料で取り外し可能にパッケージ１０に取り付けられてもよい。そのような取り外された小型模型１００が、パッケージ１０から分離されて、棚に表示することができる。さらに、消費者が、取り外された小型模型１００を小売店に持って行くことができる場合、小売店で取り外された小型模型１００と製品とを比較することによって、購入のために容易に所望の製品を容易に特定することができる。
【００４７】
小型模型１００が、吸収性物品２０のパッケージに取り付けられなくてもよい。小型模型１００を、吸収性物品のパッケージの内部に収容することができる。小型模型１００を、小売店で展示することができる。小型模型１００を、クーポンとして消費者によって製造業者へ郵送することができる。小型模型１００が、パッケージ１０の内部に収容されてもよい。
【００４８】
幾つかの実施形態では、小型模型１００の第２の表面１０５は、印刷されていなくてもよいし、あるいは吸収性物品２０の使用法に関する指示、生理中の女性に対するアドバイス、又は消費者製品の広告等の例えば、文字又は画像等の付加的情報を備えてもよい。
【００４９】
小型模型１００の寸法が、小型模型１００が取り付けられるパネル（例えば、前面パネル１１、後面パネル１２、サイドパネル１３及び１４、トップパネル１５、又は底面パネル１６）の面積の約５％〜約５０％を占有するように設計される。一般に、小型模型１００が、１つの周囲境界線から他の周囲境界線間での最大寸法で測定して、約１ｃｍ〜約１０ｃｍの範囲であり得る。小型模型１００を、パッケージ１０の任意の面上に配置することができるが、外部から見える面、すなわち、小売棚に対して外に向くように意図される前面１１上に配置される場合、最も有用であり得る。
【００５０】
小型模型１００の寸法が、吸収性物品２０の寸法の約２％〜約５０％、又は約５％〜約３０％である。この寸法は、吸収性物品２０及び小型模型１００の面積によって測定することができる。
【００５１】
幾つかの実施形態では、吸収性製品１が、模倣部分１５０を備える小型模型１００を含むことができる。模倣部分１５０が、吸収性物品２０の３次元特色３６の少なくとも一部を描写することができる。模倣部分１５０が、吸収性物品２０の２次元特色３８の少なくとも一部をさらに描写してもよい。結果として、小型模型１００が、パッケージ１０内の吸収性物品２０の製品情報を消費者に提供することができる。さらに、幾つかの実施形態では、小型模型１００が、パッケージ１０と別の材料で作製されるため、パッケージ１０から突き出ているかのように見えることがある。結果として、吸収性製品１が、吸収性物品に対する普通の表示と比較して、消費者の受け入れを高めるために有用である。
【００５２】
本明細書で説明した実施例及び実施形態は例示の目的だけであって、様々な修正又は変更が、本発明の範囲から逸脱することなく、当業者によって想起されるであろうと考える。
【００５３】
本明細書に開示される寸法及び値は、列挙された正確な数値に厳しく制限されるものとして理解されるべきでない。それよりむしろ、特に指定されない限り、こうした寸法はそれぞれ、列挙された値とその値周辺の機能的に同等の範囲の両方を意味することを意図する。例えば、「４０ｍｍ」として開示される寸法は、「約４０ｍｍ」を意味するものとする。
【００５４】
相互参照される又は関連するあらゆる特許又は出願書類を含め、本明細書において引用されるすべての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００５５】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の「書類名」特許請求の範囲で扱うものとする。
【図１】
2011524309.tif 000003
【図２】
2011524309.tif 000004
【図３】
2011524309.tif 000005
【図４】
2011524309.tif 000006
【図５】
2011524309.tif 000007
【図６】
2011524309.tif 000008
【国際調査報告】
2011524309.tif 000009
2011524309.tif 000010
2011524309.tif 000011